(57)【特許請求の範囲】
【請求項１】
回転軸の周りにターンバックルの中央部を回すためのレンチアセンブリであって、前記レンチアセンブリは、
第１本体部（２４ａ）を備える第１レンチ（２０）と、
第２本体部（２４ｂ）を備える第２レンチ（２０）とを備えており、
前記第１本体部（２４ａ）及び前記第２本体部（２４ｂ）はそれぞれ、開口端（２８ａ、２８ｂ）を画定しているスロット（２６ａ、２６ｂ）を備え、前記第１本体部（２４ａ）の前記開口端と前記第２本体部（２４ｂ）の前記開口端（２８ａ、２８ｂ）は、前記ターンバックル（１０）の前記中央部（１２）の周りに相互に対向して配置され、前記スロット（２６ａ、２６ｂ）は前記中央部（１２）の前記回転軸に沿って互いに少なくとも部分的に隣接しており、前記第１レンチ及び第２レンチ（２０）が前記回転軸の周りに前記ターンバックル（１０）の前記中央部（１２）を回すことができるように、前記ターンバックル（１０）の前記中央部（１２）に同時に係合し、
前記第１レンチ（２０）は更に、前記第１本体部（２４ａ）の外縁周囲から外側に延びている少なくとも２つのスポーク（３０ａ、３０ｂ）を備え、前記第２レンチ（２０）は更に、前記第２本体部（２４ｂ）の外縁周囲から外側に延びている少なくとも２つのスポーク（３０ｃ、３０ｄ）を備え、
前記第１本体部（２４ａ）の少なくとも２つのスポーク（３０ａ、３０ｂ）と前記第２本体部（２４ｂ）の少なくとも２つのスポーク（３０ｃ、３０ｄ）の全ては、前記ターンバックルの前記中央部を中心にして対称となるように、互いに等しい間隔を置いて配置されている、レンチアセンブリ。
【請求項２】
前記第１本体部（２４ａ）及び前記第２本体部（２４ｂ）の少なくとも２つのスポーク（３０ａ、３０ｂ）の各遠位端は、これを貫通する、細長部材の端部と接触するための開口部（５６）を備え、前記細長部材は、前記第１及び第２レンチ（２０）のうちの一つの前記スポーク（３０ａ、３０ｂ、３０ｃ、３０ｄ）のうちの一つを介して、前記ターンバックル（１０）の前記中央部（１２）に回転運動を起こさせるように構成されている、請求項１に記載のレンチアセンブリ。
【請求項３】
前記第１レンチ（２０）は更に、前記第１本体部（２４ａ）の外縁周囲から外側に延びている２つのスポーク（３０ａ、３０ｂ）を備え、前記第２レンチ（２０）は更に、前記第２本体部（２４ｂ）の外縁周囲から外側に延びている２つのスポーク（３０ｃ、３０ｄ）を備え、前記第１本体部（２４ａ）の前記２つのスポーク（３０ａ、３０ｂ）、及び前記第２本体部（２４ｂ）の前記２つのスポーク（３０ｃ、３０ｄ）は各々、互いから約９０度離れている、請求項１に記載のレンチアセンブリ。
【請求項４】
前記第１レンチ（２０）及び前記第２レンチ（２０）は互いに実質的に同一である、請求項１に記載のレンチアセンブリ。
【請求項５】
前記第１レンチ（２０）と前記第２レンチ（２０）は、前記ターンバックル（１０）の前記中央部（１２）を取り囲むように協働する、請求項１に記載のレンチアセンブリ。
【請求項６】
前記第１及び第２レンチ（２０）は、互いに取り外し可能に固定される、請求項１に記載のレンチアセンブリ。
【請求項７】
前記第１本体部（２４ａ）は更に前記第１本体部を貫通する開口部（４２ａ、４２ｂ、４２ｃ、４２ｄ）を備え、前記第２本体部（２４ｂ）は更に前記第２本体部を貫通する開口部（４２ｅ、４２ｆ、４２ｇ、４２ｈ）を備え、前記第１本体部（２４ａ）及び前記第２本体部（２４ｂ）の前記開口端（２８ａ、２８ｂ）が前記ターンバックル（１０）の前記中央部（１２）の周りに相互の対向位置に配置されている時、及び前記スロット（２６ａ、２６ｂ）が互いに少なくとも部分的に隣接し、前記ターンバックル（１０）の前記中央部に係合している時に、前記第１本体部（２４ａ）の前記開口部（４２ａ、４２ｂ、４２ｃ、４２ｄ）は、前記第２本体部（２４ｂ）の前記開口部（４２ｅ、４２ｆ、４２ｇ、４２ｈ）に合わせて位置調整されている、請求項１に記載のレンチアセンブリ。
【請求項８】
前記第１本体部（２４ａ）及び前記第２本体部（２４ｂ）の前記開口部（４２ａ、４２ｂ、４２ｃ、４２ｄ、４２ｅ、４２ｆ、４２ｇ、４２ｈ）が相互に合わせて位置調整され、前記第１及び第２レンチ（２０）を前記ターンバックル（１０）の前記中央部（１２）の周りに互いに対して取り外し可能に固定するために、位置調整された時に前記第１本体部（２４ａ）及び前記第２本体部（２４ｂ）の前記開口部に受け入れられるように構成された締め具を更に備える、請求項７に記載のレンチアセンブリ。
【請求項９】
前記ターンバックル（１０）の前記中央部（１２）は複数の平坦部（３６）を備え、前記ターンバックル（１０）の前記中央部（１２）を前記レンチアセンブリ（２０）で回転させるために、前記第１本体部（２４ａ）及び前記第２本体部（２４ｂ）の前記スロット（２６ａ、２６ｂ）が前記平坦部（３６）に係合する、請求項１に記載のレンチアセンブリ。
【請求項１０】
回転軸の周りにターンバックルの中央部を回す方法であって、
第１本体部を備える第１レンチと、第２本体部を備える第２レンチとを供給すること（１１０）であって、前記第１及び第２本体部はそれぞれ、開口端を画定するスロットと、前記第１及び第２本体部それぞれの外縁から外側に延びている少なくとも２つのスポークとを備える、供給すること（１１０）と、
前記ターンバックルの前記中央部の周りに、前記開口端を相互の対向位置に配置すること（１２０）と、
前記ターンバックルの前記中央部を、前記中央部の前記回転軸に沿って互いに少なくとも部分的に隣接する前記スロットに同時に係合させること（１３０）と、
前記第１及び第２レンチのうちの一つの前記スポークの一つを介して、前記回転軸の周りに前記ターンバックルの前記中央部の回転運動を起こさせること（１４０）と
を含む方法。
【発明の詳細な説明】
【技術分野】
【０００１】
本明細書に提示される実施形態の分野は、ターンバックルを回転させることによって生じる張力を調節するためのレンチアセンブリ、具体的には、安全な距離からテストアセンブリのターンバックルを回転させることに関する
【背景技術】
【０００２】
幾つかの構造テストアセンブリは、多数のターンバックルを使用する。これらのターンバックルは、例えばパネル等のテスト対象品に負荷がかかっている間に調節する必要がある。これには安全性の問題がある。通常、テスト作業員は、試験対象品に負荷がかかっている間にテストフレームの中に上がり込むことによって、又はテストフレームの中に手を伸ばすことによってターンバックルを調節する。これらの負荷はしばしば１０万ポンド以上になる可能性がある。テストアセンブリ内のターンバックルにも、人間工学的な困難が生じうる。テストアセンブリの構成のため、及び密閉空間に多数のターンバックルがあるために、各ターンバックルを十分に調節することが難しい。
【０００３】
これらの観点および他の観点から、ここに本発明が開示される。
【発明の概要】
【０００４】
本発明の概要は、以下の詳細説明でさらに述べられる単純化された形式で概念の選択を紹介するために提供されると認識されるべきである。本発明の概要は、特許請求された発明の範囲を限定するために使用されることを意図するものではない。
【０００５】
本明細書に開示された一実施形態によれば、回転軸の周りにターンバックルの中央部を回すためのレンチアセンブリが提供されている。レンチアセンブリは、第１本体部を有する第１レンチと、第２本体部を有する第２レンチとを含む。第１本体部と第２本体部はそれぞれ、開口端を画定するスロットを含む。第１及び第２本体部の開口端は、ターンバックルの中央部の周りに相互の対向位置に配置される。スロットは、中央部の回転軸に沿って互いに少なくとも部分的に隣接し、第１及び第２レンチが、回転軸の周りにターンバックルの中央部を回すことができるように、ターンバックルの中央部に同時に係合する。少なくとも２つのスポークが、第１本体部外縁から外側に延び、少なくとも２つのスポークが第２本体部外縁から外側に延びている。第１本体部のスポーク、及び第２本体部のスポークは互いに等しい間隔を置いて配置されている。
【０００６】
本明細書に開示された別の実施形態によれば、回転軸の周りにターンバックルの中央部を回すためのレンチアセンブリが提供されている。レンチアセンブリは、第１本体部を有する第１レンチと、第２本体部を有する第２レンチとを含む。第１本体部と第２本体部とは実質的に互いに同一であり、それぞれ開口端を画定するスロットを含む。第１本体部と第２本体部の開口端は、ターンバックルの中央部を取り囲むように相互の対向位置に配置される。スロットは中央部の回転軸に沿って互いに少なくとも部分的に隣接し、第１及び第２レンチが回転軸の周りにターンバックルの中央部を回すことができるように、ターンバックルの中央部に同時に係合する。少なくとも２つのスポークは、第１本体部外縁周囲から外側に延び、少なくとも２つのスポークが第２本体部外縁周囲から外側に延びている。第１本体部のスポークと、第２本体部のスポークは互いに等しい間隔を置いて配置されている。
【０００７】
本明細書に開示された更に別の実施形態によれば、回転軸の周りにターンバックルの中央部を回す方法が提供されている。本方法は、第１本体部を含む第１レンチと、第２本体部を含む第２レンチを提供することを含み、前記第１及び第２本体部はそれぞれ、開口端を画定するスロットと、第１及び第２本体部それぞれの外縁から外側に延びている少なくとも２つのスポークとを備える。本方法は、ターンバックルの中央部の周りに相互の対向位置に開口端を配置することと、ターンバックルの中央部を、中央部の回転軸に沿って互いに少なくとも部分的に隣接するスロットに同時に係合させることも含む。本方法はまた、第１及び第２レンチのうちの一つのスポークの一つを介して、回転軸の周りにターンバックルの中央部の回転運動を起こさせることも含む。本方法はまた、第１本体部の開口部を第２本体部の開口部に合わせて位置調整することと、第１及び第２レンチを互いに取り外し可能に固定することも含むことができる。ターンバックルの中央部に回転運動を起こさせる方法ステップが、等しい間隔を置いて配置され、第１及び第２レンチの第１及び第２本体部それぞれの周囲から延びているスポークを押す又は引くことを含み、ターンバックルの中央部に回転運動を起こさせる方法ステップが更に、細長部材の端部でスポークの内の一つを押す又は引くことを含むことが好ましい。ターンバックルの中央部に回転運動を起こさせることが更に、細長部材の端部をスポークの遠位端の開口部に受け入れることを含むことが更に好ましい。
【０００８】
説明した特徴、機能および利点は、本開示のさまざまな実施形態において独立して達成可能であり、または、以下の説明および図面を参照してさらなる詳細が理解可能であるさらに他の実施形態において組み合わせてもよい。
【０００９】
本明細書に記載される実施形態は、後述の詳細な説明および添付図面によりさらによく理解することができるであろう。
【図面の簡単な説明】
【００１０】
【図１】本明細書に開示される少なくとも１つの実施形態によるターンバックルの斜視図である。
【図２】本明細書に開示される少なくとも一つの実施形態による、航空機のパネル等の対象品をテストするように構成されたテストアセンブリの複数のターンバックルの斜視図である。
【図３】本明細書に開示される少なくとも一つ実施形態による、レンチアセンブリの、対向位置に配置された複数のスポークを有するレンチ対の前面図である。
【図４】本明細書に開示される少なくとも一つの実施形態による、図１のターンバックルに配置される直前のレンチアセンブリの複数のスポークを有する２つのレンチの斜視図である。
【図５】本明細書に開示される少なくとも一つの実施形態による、ターンバックルの中央部に配置されたレンチアセンブリの図である。
【図６】本明細書に開示される少なくとも一つの実施形態による、ターンバックルの中央部の周りに、締め具で互いに固定されたレンチアセンブリの複数のスポークを有する２つのレンチの図である。
【図７】本明細書に開示される少なくとも一つの実施形態による、ターンバックルの中央部のレンチアセンブリの端面図である。
【図８】本明細書に開示される少なくとも一つの実施形態による、ターンバックルの中央部のレンチアセンブリと、ターンバックルを調節するためにレンチアセンブリのスポークの内の一つを押す又は引くように構成された細長部材の部分前面図である。
【図９】本明細書に開示される少なくとも１つの実施形態による、ターンバックルの中央部を回す方法の一構成を示す図である。
【発明を実施するための形態】
【００１１】
本出願で提示される複数の図は、本発明の実施形態の変形および異なる態様を例示する。したがって、各例示における詳細な説明は、対応する例示において確認される違いを説明するだろう。
【００１２】
下記の詳細説明は、ビークルの製造、及び構造テストアセンブリの対象品のテストに使用される対象品の試験を対象としたものである。具体的には、下記の詳細説明は、安全な距離からテストアセンブリの中のターンバックルの張力を調節するためのレンチアセンブリを対象としたものである。本発明は、多くの異なる形態での実施可能である。
【００１３】
本発明の態様は、多様なターンバックルと共に、また多様な構造テストアセンブリにおいて使用可能である。対象品は、例えば航空機のパネル、宇宙船、衛星、船、潜水艦、乗用車、農業用車両、工事用車両等のビークルの一部を形成するために使用される対象品と同様のものであり得る。本発明の態様の説明を簡略化するために、本明細書ではターンバックル１０を主な実施例として用いる。しかしながら、本発明の多くの態様は、ターンバックル１０に限定されない。
【００１４】
ここで図面を参照しながら、本発明の態様を説明するが、類似の番号は、複数の図面を通して類似の要素を表す。図１は、ターンバックル１０の斜視図である。ターンバックル１０は、当業者に既知の対向するネジ式端部を有する円筒ロッドの形態の中央部１２を含む。中央部１２の各端部には、クレビス１６等の締め具がある。クレビス１６はＵ字状であり、クレビスピン（図示せず）を受容するための突起端部に孔１８を有する。ラグが突起部と、ラグを介して配置されたクレビスピンとの間に受け入れられ、ターンバックル１０がテストアセンブリに取り付けられる。図２は、透視的に示す構造テストアセンブリの一部の複数のターンバックル１０の斜視図である。
【００１５】
図３は、（以下にまとめて及び／又は概して「レンチ２０」又は「複数のレンチ２０」と呼ばれる）第１及び第２レンチ２０ａ、２０ｂの前面図である。本発明の態様の説明を簡略化するために、一又は複数の他の同様の要素には異なる文字が続く同様の番号が振られているが、まとめて及び／又は概して文字無しの同様の番号が振られている場合もあり得る。レンチ２０ａ、２０ｂの対は少なくとも部分的にレンチアセンブリ２２（図４）を画定する。レンチ２０ａ、２０ｂは実質的に同一であり、第１及び第２本体部２４ａ、２４ｂを有する金属製の平坦な板状の構造からできていることが好ましい。本体部２４ａ、２４ｂは、各レンチ２０ａ、２０ｂの開口端２８ａ、２８ｂを画定する第１及び第２スロット２６ａ、２６ｂを含む。各レンチ２０ａ、２０ｂは、各レンチ２０ａ、２０ｂが本体部２４ａ、２４ｂ外縁周囲から外側に延びている少なくとも２つのスポーク３０も含むことから、複数のスポークを有するレンチである。図３に示すように、第１レンチ２０ａはスポーク３０ａ及び３０ｂを含み、第２レンチ２０ｂはスポーク３０ｃ及び３０ｄを含む。第１レンチ２０ａの各スポーク３０ａ、３０ｂ、及び第２レンチ２０ｂの各スポーク３０ｃ、３０ｄにより、テスト作業員が第１レンチ２０ａに、及び第２レンチ２０ｂにそれぞれ力を手動で加えることが可能になる。各スポーク３０によって得られる機械的利点により、スポーク３０を介してターンバックル１０の位置を調節するのに要する力は、手動でターンバックル１０を調節するよりも小さい。
【００１６】
図４は、ターンバックル１０の中央部１２に配置される直前のターンバックル１０と、２つのレンチ２０ａ、２０ｂを示す斜視図である。ターンバックル１０の中央部１２は、中央部１２の外面に複数の平坦部３６を含む。平坦部３６は、中央部１２の外周周囲に互いに等しい間隔を置いて配置され、第１及び第２レンチ２０ａ、２０ｂが互いに平行に並んで配置された時に、中央部１２の回転軸に沿った長さが少なくとも、第１及び第２レンチ２０ａ、２０ｂの幅を収納するのに十分であることが好ましい。第１及び第２本体部２４ａ、２４ｂの各スロット２６ａ、２６ｂは、レンチアセンブリ２２でターンバックル１０の中央部１２を回転させるために、中央部１２を取り囲み、少なくとも対の平坦部３６に係合するようにサイズ指定され、互いに協働する。第１レンチ２０ａのスロット２６ａが、第２レンチ２０ｂのスロット２６ｂと係合した別の平坦部３６に対向する平坦部３６に係合することが好ましい。つまり、第１及び第２レンチ２０ａ、２０ｂは、中央部１２の軸において互いから約１８０度に配置される。
【００１７】
図５は、ターンバックル１０の中央部１２に配置されたレンチアセンブリ２２を示す図である。第１レンチ２０ａ及び第２レンチ２０ｂの開口端２８ａ、２８ｂは、ターンバックル１０の中央部１２の周りに相互の対向位置に配置され、スロット２６ａ、２６ｂは、中央部１２の回転軸に沿って互いに少なくとも部分的に隣接している。スロット２６ａ、２６ｂはまた、ターンバックル１０の中央部１２をその回転軸の周りに回すために、第１及び第２レンチ２０ａ、２０ｂのターンバックル１０の中央部１２にも同時に係合する。
【００１８】
図３に戻って参照すると、各レンチ２０ａ、２０ｂは、各レンチ２０ａ、２０ｂを貫通する少なくとも一つの開口部４２を含む。第１レンチ２０ａは、第１レンチ２０ａを貫通する開口部４２ａ、４２ｂ、４２ｃ及び４２ｄを含み、第２レンチ２０ｂは、第２レンチ２０ｂを貫通する開口部４２ｅ、４２ｆ、４２ｇ及び４２ｈを含むことが好ましい。第１レンチ２０ａの開口部４２は各々、中央部１２に係合するために、第１及び第２本体部２４ａ、２４ｂの開口端２８ａ、２８ｂが相互の対向位置に配置され、スロット２６ａ、２６ｂが互いに少なくとも部分的に隣接している時に、第２レンチ２０ｂの開口部４２の内の対応する開口部に合わせて位置調整される。少なくとも一構成において、例えば、開口部４２ａ、４２ｂ、４２ｃ、４２ｄはそれぞれ、開口部４２ｅ、４２ｆ、４２ｇ、４２ｈに合わせて位置調整される。第１及び第２レンチ２０ａ、２０ｂの開口部４２は、相互に合わせて位置調整され、これにより、機械的締め具４４がターンバックルの中央部１２の周りに第１及び第２レンチ２０ａ、２０ｂを相互に取り外し可能に固定することができる。図６は、ターンバックル１０の中央部１２の周りに、締め具４４で互いに固定されたレンチアセンブリ２２の２つのレンチ２０を示す図である。
【００１９】
図７は、少なくとも一つの構成に従って、ターンバックル１０の中央部１２のレンチアセンブリ２２を示す端面図である。各レンチ２０ａ、２０ｂが等しい数のスポーク３０を有することで、レンチ２０ａ、２０ｂがターンバックル１０の中央部１２において相互に対向する時に、これらが実質的に対称であり、これにより、第１及び第２本体部２４ａ、２４ｂの外縁周囲で全てのスポーク３０が互いから等しい間隔を置いて配置されることが好ましい。レンチアセンブリはしばしば、端面図が船の舵に似ているため、「舵」と呼ばれる。スポーク３０の内の少なくとも一つが常に、中央部１２を回すために構造テストアセンブリ内でアクセス可能であることが好ましい。少なくとも一構成において、各スポーク３０は相互から約９０度離れている。
【００２０】
図８は、ターンバックル１０の中央部１２のレンチアセンブリ２２と、ターンバックル１０を調節するために、レンチアセンブリ２２のスポーク３０の内の一つを押す又は引くように構成された細長部材５０を示す部分前面図である。負荷がかかった構造テストアセンブリは、テスト作業員に安全上の問題を突きつける。規模の大きいテストアセンブリでは、ターンバックル１０にアクセスするために、密閉空間で遠くまで届かせる必要がある。細長部材５０は、負荷がかかっているテストアセンブリにテスト作業員が手を届かせる必要をなくすのに十分な長さであり、全てのターンバックル１０に届かせるのに十分な長さであることが好ましい。細長部材５０はまた、スポーク３０を押し引きすることによって、スポーク３０を介してターンバックル１０の中央部１２に回転運動を起こさせるのに十分堅い適切な材料でできていることが好ましい。少なくとも一構成において、細長部材５０の遠位端５２は、各スポーク３０の遠位端の開口部５６に受け入れられるピン５４を含む。スポーク３０の内の一つの開口部５６の内の一つに受入れられたピン５４により、テスト作業員はより簡単にスポーク３０を押し引きして、ターンバックル１０の中央部１２の回転を起こすことができる。図８を更に参照すると、例えば、ピン５４をスポーク３０ｃの開口部５６に受入れ、また開口部５６から取り外すことができる。図８に示す具体的な図では、スポーク３０ａと３０ｃの開口部５６はピン５４に対して互いに合わせて位置調整されているように見えるが、スポーク３０ａと３０ｂの開口部５６は実際は、図７から最も良く分かるように、相互に合わせて位置調整されていない。
【００２１】
図９は、回転軸の周りにターンバックル１０の中央部１２を回す方法１００を示す図である。別段の提示がない限り、図面に示され本明細書で説明されるよりも多いまたは少ない工程が実行される可能性がある。さらに、別段の提示がない限り、これらの工程は、本明細書で説明されるものとは異なる順番で実行されることもある。
【００２２】
方法１００は、工程１１０において第１本体部２４ａを有する第１レンチ２０ａと、第２本体部２４ｂを有する第２レンチ２０ｂを供給することであって、第１及び第２本体部２４ａ、２４ｂは各々、開口端２８を画定するスロット２６と、第１及び第２本体部２４ａ、２４ｂの各々の外縁から外側に延びている少なくとも２つのスポーク３０とを含む、供給することによって開始される。次に、方法１００は、ターンバックル１０の中央部１２の周りに、開口端２８を相互の対向位置に配置する工程１２０を含む。工程１３０は、ターンバックル１０の中央部１２を、中央部１２の回転軸に沿って少なくとも部分的に互いに隣接したスロット２６に同時に係合させることを含み、工程１４０は、第１及び第２レンチ２０ａ、２０ｂの内の一つのスポーク３０の内の一つを介して、回転軸の周りにターンバックル１０の中央部１２の回転運動を起こすことを含む。
【００２３】
回転運動を起こす工程１４０は、等しい間隔を置いて配置され、第１及び第２レンチ２０ａ、２０ｂの第１及び第２本体部２４ａ、２４ｂの各々の外縁から延びているスポーク３０を押す又は引くことを含みうる。例えば、ターンバックル１０の中央部１２に回転運動を起こさせることは、細長部材５０の遠位端５２で、スポーク３０の内の一つを押す又は引くことによって実施することができる。細長部材５０で、ターンバックル１０の中央部１２に回転運動を起こさせる間、ターンバックル１０に取り付けられたテスト対象品にかかる負荷は大きく、おそらく１０万ポンド以上の規模であり得ることに留意すべきである。細長部材５０を、第１及び第２レンチ２０ａ、２０ｂのスポーク３０と組み合わせて用いることで、作業員はテストアセンブリの外の位置からターンバックルを安全に調節することができる。
【００２４】
方法１００は、第１本体部２４ａの開口部４２を第２本体部２４ｂの開口部４２に合わせて位置調整する工程も含みうる。方法１００はまた、第１及び第２レンチ２０ａ、２０ｂを互いに取り外し可能に固定することも含みうる。
【００２５】
上記の主題は例示の形でのみ提示されており、限定的なものと解釈されるべきではない。本明細書に記載されている発明の要旨に対しては、図解及び記載されている例示的な実施形態及び応用に従うことなく、かつ本発明の真の趣旨及び範囲から逸脱することなく、様々な修正及び変更が可能であり、これは以下の特許請求の範囲に記載される。
【符号の説明】
【００２６】
１０    ターンバックル
１２    ターンバックル中央部
１６    クレビス
１８    クレビスの孔
２０    レンチ
２０ａ    第１レンチ
２０ｂ    第２レンチ
２２    レンチアセンブリ
２２ａ    レンチアセンブリ
２２ｂ    レンチアセンブリ
２４ａ    レンチの第１本体部
２４ｂ    レンチの第２本体部
２６ａ    第２スロット
２６ｂ    第２スロット
２８ａ    開口端
２８ｂ    開口端
３０ａ    スポーク
３０ｂ    スポーク
３０ｃ    スポーク
３０ｄ    スポーク
３６    平坦部
４２    開口部
４２ａ    開口部
４２ｂ    開口部
４２ｃ    開口部
４２ｄ    開口部
４２ｅ    開口部
４２ｆ    開口部
４２ｇ    開口部
４２ｈ    開口部
４４    機械的締め具
５０    細長部材
５２    細長部材の遠位端
５４    ピン
５６    スポークの開口部
１００    回転軸の周りにターンバックルの中央部を回す方法
【図１】
0006541993.tif 000002
【図２】
0006541993.tif 000003
【図３】
0006541993.tif 000004
【図４】
0006541993.tif 000005
【図５】
0006541993.tif 000006
【図６】
0006541993.tif 000007
【図７】
0006541993.tif 000008
【図８】
0006541993.tif 000009
【図９】
0006541993.tif 000010